(57)【要約】【課題】天然の植物である藺（藺草）を利用した芳香拡散器を提供する。【解決手段】複数本の藺１２の茎を束ねてなる本体部１１を備える芳香拡散器１であって、芳香拡散器１は芳香液を適用して芳香を拡散させる受液部１３を備えており、受液部１３は藺の切断面からなる芳香拡散器１である。本体部１１は棒状であり、本体部１１の一端に受液部１３を備えることが好ましい。【選択図】図１
2017038665.tif 000002
【特許請求の範囲】
【請求項１】
複数本の藺の茎を束ねてなる本体部を備える芳香拡散器であって、
芳香拡散器は芳香液を適用して芳香を拡散させる受液部を備えており、
受液部は藺の切断面からなる芳香拡散器。
【請求項２】
本体部は棒状であり、本体部の一端に受液部を備える請求項１に記載の芳香拡散器。
【請求項３】
芳香拡散器は茣蓙からなるものである請求項１又は２に記載の芳香拡散器。
【請求項４】
本体部の他端に茣蓙の縁部を備える請求項３に記載の芳香拡散器。
【請求項５】
本体部は巻物状の茣蓙からなる請求項３又は４に記載の芳香拡散器。
【請求項６】
藺は土で染めていない無染土藺草である請求項１ないし５のいずれかに記載の芳香拡散器。
【請求項７】
本体部の一端は茣蓙の縁からなる突縁部を備えており、突縁部に囲まれた凹所に受液部を備える請求項３ないし６のいずれかに記載の芳香拡散器。
【発明の詳細な説明】
【技術分野】
【０００１】
本発明は、精油や合成香料などの芳香剤を保持、揮発させる芳香拡散器に関する。
【背景技術】
【０００２】
植物に由来する揮発性の油である精油や合成香料を含有する油を芳香拡散器に適用して芳香を楽しむ習慣がある。病気の治療、病気の予防、ストレスの解消など治療を目的として行われることもありアロマテラピーとして普及している。
【０００３】
芳香拡散器はディフューザとも呼ばれており、以下の特許文献に挙げるようなものが知られている。特許文献１には、リードディフューザと呼ばれる芳香拡散器が開示されている。リードとは葦のことである。瓶に液状の芳香剤を詰めておき、リードの一端を瓶の中の芳香剤に浸けておき、空気中のリードの他端から芳香成分を拡散させる。葦は導管を有しており、導管により芳香成分が吸い上げられて空気中に芳香成分が拡散する。
【０００４】
特許文献２には芯材を利用した芳香器が開示されている。芯材が容器に入れられた液状の芳香剤を吸い上げて空気中に拡散させる。
【０００５】
特許文献３には、筒部、上蓋部、及び下蓋部からなるい草入りの消臭器が開示されている。筒部には一対の開口部が設けられている。
【先行技術文献】
【特許文献】
【０００６】
【特許文献１】特開２０１２−１１５３６４号公報
【特許文献２】実開昭６０−９９９３３号公報
【特許文献３】特開２０１５−１３４０４８号公報
【発明の概要】
【発明が解決しようとする課題】
【０００７】
特許文献１のようなリードディフューザにおいては、葦は導管を利用して液状の芳香剤を吸い上げる。このため、瓶などの容器に液状の芳香剤を入れて、それにリードを浸して使用しなければならない。このため芳香拡散器を設置する場所が限られるし、転倒させると芳香剤がこぼれるおそれがある。特許文献２の芯材を利用した芳香器も同様である。
【０００８】
特許文献３の消臭器は、臭いの元となる成分を吸着して消臭作用を発揮するものであり、芳香成分を撹拌させる芳香拡散器ではない。
【０００９】
上記の問題に鑑みて、天然の植物である藺（藺草）を利用し、触って楽しむことができる芳香拡散器を提供する。
【課題を解決するための手段】
【００１０】
複数本の藺の茎を束ねてなる本体部を備える芳香拡散器であって、芳香拡散器は芳香液を適用して芳香を拡散させる受液部を備えており、受液部は藺の切断面からなる芳香拡散器によって、上記の課題を解決する。藺は、表面にワックス層があり、髄が多孔質のスポンジ状となっている。藺の切断面を受液部とすることで、藺の髄に芳香液を保持して徐々に芳香成分を揮発させて芳香を楽しむことができる。
【００１１】
本体部は棒状であり、本体部の一端に受液部を備えるものであることが好ましい。棒状の本体部と受液部とを備えることで、本体部を手で握って使用することができる芳香拡散器を提供することができる。
【００１２】
芳香拡散器は茣蓙で構成することが好ましい。茣蓙は複数本の藺を織成してなる。このため、藺が途中で折れたり抜け落ちたりすることを防止して、芳香拡散器の耐久性を高めることができる。
【００１３】
本体部の他端に茣蓙の縁部を配することが好ましい。本体部の他端に茣蓙の縁部を配することで、芳香拡散器の他端側の耐久性を高めることができる。
【００１４】
本体部は巻物状の茣蓙からなることが好ましい。茣蓙を巻物状に束ねて棒状とすることで、簡単に芳香拡散器を製造することができる。
【００１５】
本体部の一端は茣蓙の縁からなる突縁部を備えており、突縁部に囲まれた凹所に受液部を備えることが好ましい。本体部の一端に突縁部を配置することで、芳香拡散器の一端側の耐久性を高めることができる。
【発明の効果】
【００１６】
多孔質な藺の髄に芳香液を保持させて徐々に芳香成分を揮発させて芳香を楽しむことができる。このため芳香液を貯留しておく瓶などの容器がなくても使用することが可能であり、自由に持ち運ぶことができる。芳香拡散器は複数の藺を束ねて構成する。藺の表面はワックス層となっているため触り心地がよく触って楽しむことができる芳香拡散器を提供することできる。
【図面の簡単な説明】
【００１７】
【図１】芳香拡散器の一実施形態を示す正面図である。
【図２】図１の芳香拡散器の平面図である。
【図３】藺の断面を模式的に示した拡大断面図である。
【図４】芳香拡散器の他の実施形態を示す正面図である。
【図５】図４の芳香拡散器の平面図である。
【図６】図４の芳香拡散器の底面図である。
【図７】茣蓙の底面側を示す斜視図である。破線で裁断する箇所を示す。
【図８】裁断後の茣蓙の底面側を示す斜視図である。茣蓙を巻く方向を矢印で示し、茣蓙の織目を省略して示す。
【図９】芳香拡散器の他の実施形態を示す正面図である。
【図１０】図９のＡＡ部分を示す拡大断面図である。
【図１１】縁部の一部を切り取った状態を示す茣蓙の底面側の斜視図である。茣蓙を巻く方向を矢印で示し、茣蓙の織目を省略して示す。
【図１２】芳香拡散器の一実施例を示す正面図である。
【図１３】図１２の芳香拡散器の背面図である。
【図１４】図１２の芳香拡散器の左側面図である。
【図１５】図１２の芳香拡散器の右側面図である。
【図１６】図１２の芳香拡散器の平面図である。
【図１７】図１２の芳香拡散器の底面図である。
【図１８】芳香拡散器の他の実施例を示す正面図である。
【図１９】図１８の芳香拡散器の背面図である。
【図２０】図１８の芳香拡散器の左側面図である。
【図２１】図１８の芳香拡散器の右側面図である。
【図２２】図１８の芳香拡散器の平面図である。
【図２３】図１８の芳香拡散器の底面図である。
【図２４】図１８の芳香拡散器の一方側を示す斜視図である。
【発明を実施するための形態】
【００１８】
図面を参照して、本発明を実施するための形態について説明する。
【００１９】
図１及び図２に本発明の芳香拡散器の一実施形態を示す。この実施形態の芳香拡散器１は本体部１１を有する。本体部１１は複数本の藺１２を束ねて構成される。本体部１１は棒状であり、両端に芳香液を拡散させる受液部１３を備える。受液部は本体部の一端側及び両端側の少なくともいずれか一方に設ければよい。受液部１３は、複数の藺１２の切断面から構成される。この芳香拡散器１は、図２に示したように、一端側と他端側を切断した同じ長さの藺を平面視において略円形となるように束ねている。このため、受液部１３は、平面視において略円形であり、扁平な面である。複数本の藺を束ねた後に藺を切断して受液部１３としてもよい。
【００２０】
図３に藺１２の切断面を模式的に示したように、藺１２は、髄にあたるスポンジ状の灯芯部１４と、藺の表面にあたる皮質部１５とを有する。受液部１３は藺１２の切断面から構成されるため、受液部１３には多孔質の灯芯部１４が多数露出している状態となっている。このため、精油などの芳香液を受液部に滴下すると、灯芯部１４に芳香液を蓄えておくことができる。灯芯部１４に蓄えられた芳香液は徐々に気化して芳香成分が気中に拡散し芳香を楽しむことができる。
【００２１】
複数の藺１２を束ねる際には、糸、紐、縄、布、紙などの固定具１５を本体部１１の外周に巻いて任意の位置で結束するとよい。本実施形態の芳香拡散器１では、第２固定具１６として手漉きの和紙を本体部１１の外周沿うように巻いて、さらに和紙の上に固定具１５として正絹の真田紐を和服の帯に見立てて巻いて正面で帯締めしている。真田紐の両端部には、各端部から紐の横糸１７を２本引き出して各端部の解れた縦糸の基部に巻き付けて結束して、紐が解れないように結束部１８、１８を設けている。
【００２２】
本実施形態の芳香拡散器１の本体部１１は棒状である。このため、芳香拡散器１の上部に配される第１把持部１９や下部に配される第２把持部２０を手で握った状態で芳香を拡散させることができる。手の温度で受液部１３に適用された芳香液を温めて芳香成分の揮発を促進させることが可能である。また、例えば、第１把持部１９を一方の手で握り第２把持部２０を他方の手で握り、第１把持部１９及び第２把持部２０を雑巾を絞る要領で捩じるように力を加えてストレッチを行い、ストレス解消に役立てることができる。ストレッチを行う際に体温で芳香液又は藺の芳香成分を揮発させてさらにストレス解消の効果を高めることができる。本実施形態の芳香拡散器１は、芳香液を蓄えるための小瓶などを備えない。このため、例えば、デスクの傍らに置いておいてパソコン作業の途中で上記のストレッチを行い腕や指の疲れを解消するのに役立てることができる。また、藺の色が看者の心を落ち着ける。
【００２３】
芳香拡散器１で使用する藺１２は土で染めていない無染土藺草を使用することが好ましい。藺１２は収穫した直後に泥水に浸漬して泥で表面を被覆することが一般的に行われている。藺１２の表面を土で覆うことで藺そのものの色むらを目立たなくしたり日焼けを防いだりする目的で泥染めが行われている。しかし、土が芳香に影響を与えることがある。このため、無染土藺草を使用することで、土が芳香に影響を与えることを防ぐことができる。また、無染土藺草は触ると手に土が付着したり粉の感触がしたりすることがある。無染藺草を使用することで芳香拡散器の手触りを向上させることができる。さらに、無染土藺草を使用ことで上記のストレッチを行うときに藺に付着した土が飛散することを防止することができる。
【００２４】
図４ないし図６に他の実施形態に係る芳香拡散器２を示す。この芳香拡散器２は、本体部１１ａを茣蓙２１で構成した点で上記の芳香拡散器１と主に相違する。本体部１１ａを構成する藺１２が織成されているため、藺１２が脱落したり折れたりし難く耐久性に優れる。本体１１ａを茣蓙２１で構成すると耐久性が向上するので芳香拡散器２を用いて上記のストレッチを好適に行うことができる。
【００２５】
芳香拡散器２は、一端側に第１把持部１９ａを備え、他端側に第２把持部２０ａを備える。芳香拡散器２を使用して上記のストレッチを行うと、茣蓙２１の織目同士が擦れあって細波のような音が生じる。また、芳香拡散器２を握ると織目が掌に接触して手を刺激すると共に受液部１３ａに適用した芳香液又は藺の香りが揮発して嗅覚を刺激する。また、図３に示したように、芳香拡散器２の表面に織目に由来する模様が現れるため美観においても優れる。このように、本実施形態の芳香拡散器２は、嗅覚だけでなく、触覚、聴覚、視覚も刺激して疲れを解消することができる。
【００２６】
芳香拡散器２は、本体部１１ａの一端に受液部１３ａを備えており、本体部１１ａの他端に茣蓙２１の縁部２２を備える。このため、本体部２の他端側の藺が折れたり摩耗するなどして破損することを防止することができる。また、例えば、一端側の受液部１３ａに誤って過剰量の芳香液を適用した場合においては、本体部１１ａの他端側が縁部２２となっており藺が折り返されているので芳香液が芳香拡散器２の他端側から漏れるのを防止することができる。
【００２７】
芳香拡散器２は、例えば、図７に記載したように、両端に縁部２２を備える茣蓙２１を図７において破線で示したように、縁部２２の延在方向に沿って茣蓙の中央で裁断して、図８に示した他端側に縁部２２を備える茣蓙２１とする。この他端に縁部２２を備える茣蓙２１を縁部２２の延在方向（図８において矢印で示した方向）に巻いて、上記の芳香拡散器１と同様に固定具１５で束ねて芳香拡散器２とする。芳香拡散器２は、芳香拡散器１と同様に、第２固定具１６、及び横糸１７を利用した結束部１８を備える。
【００２８】
芳香拡散器２の本体部１１ａは、渦巻状の茣蓙２１からなる。このため、本体部１１ａを平面又は底面から見ると茣蓙２１が渦巻状に巻かれている様子が表れる。芳香拡散器２は渦巻状の本体部１１ａを備えるため、上記のストレッチにおいて第１把持部１９ａ及び第２把持部２０ａを握って本体部１１ａを捩じる動作を行う際に渦巻状の茣蓙２１が捩じれて渦巻が元に戻ろうとする反発力が生じる。このため、上記のストレッチを行う際に適度な撓りが生じて、より手の触覚を刺激することができる。
【００２９】
図９及び図１０に他の実施形態に係る芳香拡散器３を示す。この実施形態の芳香拡散器３は、本体部１１ｂの一端側に茣蓙２１ｂの縁からなる突縁部２３を備える。突縁部２３の端は茣蓙２１ｂの縁部２２ｂから構成されるため、藺１２が解れたり折れたりし難く耐久性に優れる。突縁部２３の内側には、凹所２４を備えており、凹所２４の底が受液部１３ｂとなっている。受液部１３ｂは上記実施形態の芳香拡散器１及び２と同様に、多孔質の灯芯部１４が多数露出している扁平面となっており、芳香液を受液部１３ｂに滴下すると、灯芯部１４に芳香液が蓄えられる。
【００３０】
芳香拡散器３の本体部１１ｂの他端側は、上記の芳香拡散器２の他端側と同様に、中実な縁部２２ｃが設けられている。他端側も一端側と同様に凹所２４を設けて凹所２４の底に受液部を配置する構成としてもよい。
【００３１】
本体部の一端側に凹所２４及び突縁部２３を備える芳香拡散器３は、図１１に示したようにして製造する。まず、両端に縁部２２ｂ、２２ｃを備える茣蓙２１ｂを準備し、一端側の縁部の一部をその延在方向に沿って切り取る。切り欠きは巻き取り開始の始端側に設ける。延在方向に切り取る幅Ｗによって受液部の直径が定まるので、所望の受液部の直径に応じて切り取る幅Ｗを定める。同様に延在方向に直交する方向に切り取る高さＨによって凹所の深さが定まるので、所望する凹所の深さに応じて切り取る高さＨを定める。受液部の直径は１０〜４５ｍｍとし、凹所の深さを２〜５０ｍｍとすれば、芳香液を受液部１３ｂに適用しやすく好ましい。本実施形態の芳香拡散器３では、凹所の深さは３０ｍｍであり、受液部の直径は２５ｍｍである。
【００３２】
一端側の縁部２２ｂの一部を切り取った後、縁部２２ｂ、２２ｃの延在方向（図１１の矢印方向）に茣蓙２１ｂを巻いて、棒状の本体部１１ｂとする。芳香拡散具３では、棒状の本体部１１ｂの一端側、他端側、中央付近の３箇所を固定具１５ｃで結束して固定した。固定具１５ｃとして、手績み（てうみ）の麻糸を使用した。芳香拡散器２と同様に、茣蓙を巻いて製造しているので、芳香拡散器３は平面視及び底面視において渦巻状に茣蓙が巻いた状態で表れる。
【００３３】
芳香拡散器３は、上記の実施形態に係る芳香拡散器１及び２と同様に、一端側に第１把持部１９ｂを備え、他端側に第２把持部１９ｃを備える。便宜上、固定具１５ｃを境界として第１把持部１９ｂと第２把持部２０ｂを区分しているが、例えば、上半分の第１把持部９ｂのみを両手で握って使用してもよい。芳香拡散器１及び２に比較して把持部が幅広になっているので上記のストレッチを行う際に把持部を握りやすいため、本体部を捩じる動作を行いやすい。また、上述のように茣蓙が巻物状となっており、把持部もより長くなっているので捩じる動作を行うとより強い反発力が生じて手の触覚を刺激することができる。芳香拡散器３においては、第１把持部１９ｂ及び第２把持部２０ｂの長さは、それぞれ８０〜１８０ｍｍとすることが好ましい。
【００３４】
芳香拡散器１、２、３には上述の通り芳香液を適用して使用する。芳香液としては植物から抽出した精油、合成香料、若しくは両者の混合液、又はこれらの希釈液など種々のものを使用することができる。芳香液によっては鼻をつく刺激臭がすることがあるが、芳香拡散器１、２、３を使用して芳香を拡散させれば刺激臭を緩和して軟らかい香りを得ることができる。イグサの芳香成分を含有する精油とも非常に相性がよい。
【００３５】
芳香拡散器１、２、３は手で握りやすくするために、棒状の本体部の直径を４０ｍｍとしている。棒状の本体部の直径は３０〜５０ｍｍとすることが好ましい。リレー競技で使用するバトンのように握りやすくすることができる。
【００３６】
芳香拡散器１、２の第１把持部１９、１９ａ及び第２把持部２０、２０ａの長さは、４０〜９０ｍｍとすることが好ましい。
【００３７】
図１２ないし図１７に上記の実施形態に係る芳香拡散器２の一実施例の写真を示す。図１８ないし図２４に上記の実施形態に係る芳香拡散器３の一実施例の写真を示す。これらの写真に示したように、本体部は畳を連想させる外観を備えている。畳の黄緑色は安心感を与える色であるとされており、視覚を通して精神の緊張を解すことができる。
【００３８】
藺にはフィトンチッド、ジヒドロアクチニジオリド、α‐シペロン、バニリンなどの芳香成分が含まれている。ジヒドロアクチジオリド自体は香りを持たないが、他の芳香成分の香りを引き立てる作用がある。このため、受液部１３、１３ａ、１３ｂに適用された芳香液に由来する芳香を引き立てることができる。フィトンチッドは抗菌作用がある。このため、カビなどの雑菌の繁殖を抑えて芳香拡散器１、２、３を清潔な状態で維持することができる。α‐シペロン、バニリンの成分はストレスを緩和させる作用がある。このため、受液部１３、１３ａ、１３ｂに適用された芳香液の芳香と相まってストレスを緩和させることができる。さらに藺自体が香るため、受液部１３、１３ａ、１３ｂに芳香液を適用していない状態でもイグサの香りを楽しむことができる。
【符号の説明】
【００３９】
１      芳香拡散器
２      芳香拡散器
３      芳香拡散器
１２    藺
１３    受液部
１３ａ  受液部
１３ｂ  受液部
１１    本体部
１１ａ  本体部
１１ｂ  本体部
２１    茣蓙
２１ｂ  茣蓙
２２    縁部
２２ｂ  縁部
２２ｃ  縁部
２３    突縁部
２４    凹所
【図１】
2017038665.tif 000003
【図２】
2017038665.tif 000004
【図３】
2017038665.tif 000005
【図４】
2017038665.tif 000006
【図５】
2017038665.tif 000007
【図６】
2017038665.tif 000008
【図７】
2017038665.tif 000009
【図８】
2017038665.tif 000010
【図９】
2017038665.tif 000011
【図１０】
2017038665.tif 000012
【図１１】
2017038665.tif 000013
【図１２】
2017038665.tif 000014
【図１３】
2017038665.tif 000015
【図１４】
2017038665.tif 000016
【図１５】
2017038665.tif 000017
【図１６】
2017038665.tif 000018
【図１７】
2017038665.tif 000019
【図１８】
2017038665.tif 000020
【図１９】
2017038665.tif 000021
【図２０】
2017038665.tif 000022
【図２１】
2017038665.tif 000023
【図２２】
2017038665.tif 000024
【図２３】
2017038665.tif 000025
【図２４】
2017038665.tif 000026